(57)【要約】      （修正有）【課題】簡易な構造で安全かつ迅速に敷鉄板を洗浄することが可能な敷鉄板洗浄装置を提供する。【解決手段】敷鉄板を載置する載置フレーム３０と、前記載置フレームの上方に設置され、載置フレーム側に向けて洗浄水を噴射する噴射口４２を敷鉄板の長辺方向に沿って複数有する上部配管３２と、前記載置フレームの下方に設置され、載置フレーム側に向けて洗浄水を噴射する噴射口４４を敷鉄板の長辺方向に沿って複数有する下部配管３４と、前記上部配管及び下部配管への洗浄水の供給を制御する制御部３６と、前記上部配管及び下部配管に洗浄水を圧送するポンプ部３８と、を有する。敷鉄板洗浄装置８０は載置フレーム３０上に敷鉄板を載置し、この上下面に洗浄水を噴射して洗浄を行う。【選択図】図１
0003181558.tif 000002
【実用新案登録請求の範囲】
【請求項１】
敷鉄板を載置する載置フレームと、
前記載置フレームの上方に設置され、載置フレーム側に向けて洗浄水を噴射する噴射口を敷鉄板の長辺方向に沿って複数有する上部配管と、
前記載置フレームの下方に設置され、載置フレーム側に向けて洗浄水を噴射する噴射口を敷鉄板の長辺方向に沿って複数有する下部配管と、
前記上部配管及び下部配管への洗浄水の供給を制御する制御部と、
前記上部配管及び下部配管に洗浄水を圧送するポンプ部と、
を有することを特徴とする敷鉄板洗浄装置。
【請求項２】
載置フレームは奥側に傾斜して敷鉄板を斜めに載置するとともに、
上部配管の噴射口と下部配管の噴射口は垂直方向から若干奥側に向くように設置され、
前記上部配管は敷鉄板の短辺方向手前側の第１上部配管と短辺方向奥側の第２上部配管とを備え、
前記下部配管は敷鉄板の短辺方向手前側の第１下部配管と短辺方向奥側の第２下部配管とを備え、
洗浄水の噴射を、前記第１上部配管、第２上部配管、第１下部配管、第２下部配管の順に順次行うことを特徴とする請求項１記載の敷鉄板洗浄装置。
【考案の詳細な説明】
【技術分野】
【０００１】
本考案は、工事現場等に敷く敷鉄板を洗浄する敷鉄板洗浄装置に関するものである。
【背景技術】
【０００２】
足場の不安定な工事現場や建設現場等では、敷鉄板を敷くことで工事用車両の仮設通路や建築資材の仮置場等を構築することが一般的である。この敷鉄板は工事終了時に撤去され、回収、洗浄の後、次の工事現場で再使用される。従来、この敷鉄板の洗浄は敷鉄板をクレーン等で吊り上げ、水を高圧で噴射しながら人力で行うことが一般的であった。しかしながら、敷鉄板は高重量であるため作業者の安全性に問題があった。また、この手法により敷鉄板の両面を洗浄するのは作業効率が悪く時間を要するという問題点があった。この問題点に対し下記［特許文献１］には、敷鉄板を移動させて敷鉄板の洗浄を行う洗浄機に関する考案が開示されている。
【先行技術文献】
【特許文献】
【０００３】
【特許文献１】実用新案登録第３１４４６６８号公報
【考案の概要】
【考案が解決しようとする課題】
【０００４】
しかしながら、［特許文献１］に開示された考案は、高重量の敷鉄板を移動させるための大型の搬送機構が必要となり装置規模が大きくなるという問題点がある。また、敷鉄板が移動するため十分な安全機構が必要となる。
【０００５】
本考案は上記事情に鑑みてなされたものであり、簡易な構造で安全かつ迅速に敷鉄板を洗浄することが可能な敷鉄板洗浄装置を提供することを目的とする。
【課題を解決するための手段】
【０００６】
本考案は、
（１）敷鉄板１０を載置する載置フレーム３０と、前記載置フレーム３０の上方に設置され、載置フレーム３０側に向けて洗浄水を噴射する噴射口４２を敷鉄板１０の長辺方向に沿って複数有する上部配管３２と、前記載置フレーム３０の下方に設置され、載置フレーム３０側に向けて洗浄水を噴射する噴射口４４を敷鉄板１０の長辺方向に沿って複数有する下部配管３４と、前記上部配管３２及び下部配管３４への洗浄水の供給を制御する制御部３６と、前記上部配管３２及び下部配管３４に洗浄水を圧送するポンプ部３８と、を有することを特徴とする敷鉄板洗浄装置８０を提供することにより、上記課題を解決する。
（２）載置フレーム３０は奥側に傾斜して敷鉄板１０を斜めに載置するとともに、上部配管３２の噴射口４２と下部配管３４の噴射口４４は垂直方向から若干奥側に向くように設置され、前記上部配管３２は敷鉄板１０の短辺方向手前側の第１上部配管３２ａと短辺方向奥側の第２上部配管３２ｂとを備え、前記下部配管３４は敷鉄板１０の短辺方向手前側の第１下部配管３４ａと短辺方向奥側の第２下部配管３４ｂとを備え、
洗浄水の噴射を、前記第１上部配管３２ａ、第２上部配管３２ｂ、第１下部配管３４ａ、第２下部配管３４ｂの順に順次行うことを特徴とする上記（１）記載の敷鉄板洗浄装置８０を提供することにより、上記課題を解決する。
【考案の効果】
【０００７】
本考案に係る敷鉄板洗浄装置は、敷鉄板を移動することなく洗浄を行うことができる。このため、敷鉄板の洗浄を安全且つ迅速に行うことができる。
【図面の簡単な説明】
【０００８】
【図１】本考案に係る敷鉄板洗浄装置の概略構成図である。
【図２】本考案に係る敷鉄板洗浄装置の模式断面図である。
【考案を実施するための形態】
【０００９】
本考案に係る敷鉄板洗浄装置の実施の形態について図面に基づいて説明する。図１は本考案に係る敷鉄板洗浄装置８０の概略構成図であり、図２は敷鉄板洗浄装置８０の模式断面図である。尚、図１においては敷鉄板洗浄装置８０の側壁１４、搬入口１２の記載は省略する。また、図２においては敷鉄板洗浄装置８０の本管４８側の構成の記載は省略する。
【００１０】
図１、図２に示す本考案に係る敷鉄板洗浄装置８０は、敷鉄板１０を載置する載置フレーム３０と、載置フレーム３０の上方に設置された上部配管３２と、載置フレーム３０の下方に設置された下部配管３４と、上部配管３２及び下部配管３４に洗浄水を圧送するポンプ部３８と、上部配管３２及び下部配管３４への洗浄水の供給を制御する制御部３６と、を有している。そして、敷鉄板洗浄装置８０の長辺方向の一方の側面には敷鉄板１０を出し入れする搬入口１２が形成されている。尚、敷鉄板洗浄装置８０の載置フレーム３０、上部配管３２、下部配管３４等は、長さ３ｍの敷鉄板１０と長さ６ｍの敷鉄板１０の双方に対応可能な十分な寸法を有している。
【００１１】
載置フレーム３０は搬入口１２側から見て奥側が低く手前側が高くなるよう傾斜しており、よって敷鉄板１０は載置フレーム３０上に奥側が低くなるよう斜めに載置される。
【００１２】
また、上部配管３２は、搬入口１２側から見て敷鉄板１０の短辺方向手前側に位置する第１上部配管３２ａと、短辺方向奥側に位置する第２上部配管３２ｂとに分かれており、第１上部配管３２ａと第２上部配管３２ｂのそれぞれには載置フレーム３０側、即ち下方に向けて洗浄水を噴射する噴射口４２が敷鉄板１０の長辺方向に沿って複数設置されている。また、下部配管３４は、搬入口１２側から見て敷鉄板１０の短辺方向手前側に位置する第１下部配管３４ａと、短辺方向奥側に位置する第２下部配管３４ｂとに分かれており、第１下部配管３４ａと第２下部配管３４ｂのそれぞれには載置フレーム３０側、即ち上方に向けて洗浄水を噴射する噴射口４４が敷鉄板１０の長辺方向に沿って複数設置されている。尚、図１、図２では、第１上部配管３２ａ、第２上部配管３２ｂ、第１下部配管３４ａ、第２下部配管３４ｂが、それぞれ２つに分岐している例を示している。ただし、この分岐本数は２本に限定されるわけではなく、一本でも良いし２本以上に分岐していても良い。
【００１３】
また、図２に示すように、第１上部配管３２ａ、第２上部配管３２ｂの噴射口４２は垂直方向下向きから若干奥側に向くように設置し、第１下部配管３４ａ、第２下部配管３４ｂの噴射口４４は垂直方向上向きから若干奥側に向くように設置することが好ましい。
【００１４】
そして、第１上部配管３２ａ、第２上部配管３２ｂ、第１下部配管３４ａ、第２下部配管３４ｂは、開閉弁４６ａ〜４６ｄを介して本管４８に接続される。このとき、第１上部配管３２ａ、第２上部配管３２ｂ、第１下部配管３４ａ、第２下部配管３４ｂは、本管４８側が若干低くなるように接続することが好ましい。この構成によれば、特に第１下部配管３４ａ、第２下部配管３４ｂ中に洗浄水が停留することを防止して、洗浄水の凍結による配管の破損を防ぐことができる。
【００１５】
また、本管４８はポンプ部３８に接続し、ポンプ部３８は給水管２０に接続する。そして、ポンプ部３８は給水管２０からの洗浄水を本管４８を介して第１上部配管３２ａ、第２上部配管３２ｂ、第１下部配管３４ａ、第２下部配管３４ｂに圧送する。尚、給水管２０から供給される洗浄水は水道水、工業用水の他、地下水（井水）を使用することができる。
【００１６】
また、敷鉄板洗浄装置８０の搬入口１２を除く側面は洗浄水が周囲に飛び散らないように側壁１４にて閉塞され、敷鉄板洗浄装置８０の上面は屋根１６により閉塞されている。さらに、敷鉄板洗浄装置８０の床面には床板１８が本管４８の側が低くなるよう斜めに設置され、その下端側には図示しない排水升が設置されている。これにより、床板１８上に落ちた洗浄水は床板１８の斜面に沿って排水升に流れ落ち、この排水升にて土砂と分離された後、放流もしくは再利用される。尚、床板１８の傾斜方向はこの例に限定されるわけでは無く、排水升、排水溝、排水用配管等の排水設備の位置、形状等に応じて適宜変更して良い。
【００１７】
次に、本考案に係る敷鉄板洗浄装置８０の動作を説明する。先ず、開閉弁４６ａ〜４６ｄを全て閉じた状態でポンプ部３８を起動する。次に、作業者が洗浄前の敷鉄板１０をフォークリフト５等により運搬し、搬入口１２から載置フレーム３０上に載置する。前述のように、載置フレーム３０は奥側が低くなるよう傾斜しており、よって敷鉄板１０は載置フレーム３０上に斜めに載置される。
【００１８】
次に、作業者は敷鉄板洗浄装置８０の制御部３６に対して運転指示を行う。この運転指示は無線リモコンによる遠隔操作によって行うことが好ましい。運転指示を無線リモコンで行うことにより、作業者はフォークリフト５から下車せずに敷鉄板洗浄装置８０の操作を行うことができる。これにより、作業効率の更なる向上を図ることができる。
【００１９】
ここで、作業者が敷鉄板洗浄装置８０に対し通常洗浄パターンの運転指示を行うと、制御部３６は先ず第１上部配管３２ａの開閉弁４６ａを開く。これにより、洗浄水が第１上部配管３２ａに接続された噴射口４２から敷鉄板１０の上面手前側（搬入口１２側）に噴射する。このとき、噴射口４２は垂直方向から若干奥側に向き敷鉄板１０は奥側に向けて斜めに載置されているため、敷鉄板１０の上面手前側に付着した汚れ（土砂等）は敷鉄板洗浄装置８０の奥側に向けて吹き飛ばされる。
【００２０】
第１上部配管３２ａからの洗浄水の噴射が所定の時間行われると、制御部３６は第１上部配管３２ａの開閉弁４６ａを閉じるとともに、第２上部配管３２ｂの開閉弁４６ｂを開く。これにより、第１上部配管３２ａからの洗浄水の噴射が止まるとともに、洗浄水が第２上部配管３２ｂの噴射口４２から敷鉄板１０の上面奥側に噴射する。前述のように、噴射口４２は垂直方向から若干奥側に向き、また敷鉄板１０は奥側に向けて斜めに載置されているため、この第２上部配管３２ｂからの洗浄水の噴射により、敷鉄板１０の上面奥側の汚れは奥側に向けて吹き飛ばされる。
【００２１】
第２上部配管３２ｂからの洗浄水の噴射が所定の時間行われると、制御部３６は第２上部配管３２ｂの開閉弁４６ｂを閉じるとともに、第１下部配管３４ａの開閉弁４６ｃを開く。これにより、第２上部配管３２ｂからの洗浄水の噴射が止まるとともに、洗浄水が第１下部配管３４ａの噴射口４４から敷鉄板１０の下面手前側に噴射する。前述のように、噴射口４４は垂直方向から若干奥側に向いているため、この第１下部配管３４ａからの洗浄水の噴射により敷鉄板１０の下面手前側に付着した汚れは奥側に吹き飛ばされる。
【００２２】
第１下部配管３４ａからの洗浄水の噴射が所定の時間行われると、制御部３６は第１下部配管３４ａの開閉弁４６ｃを閉じるとともに、第２下部配管３４ｂの開閉弁４６ｄを開く。これにより、第１下部配管３４ａからの洗浄水の噴射が止まるとともに、洗浄水が第２下部配管３４ｂの噴射口４４から敷鉄板１０の下面奥側に噴射する。そして、第２下部配管３４ｂからの洗浄水の噴射により、敷鉄板１０の下面奥側に付着した汚れは奥側に吹き飛ばされる。
【００２３】
第２下部配管３４ｂからの洗浄水の噴射が所定の時間行われると、制御部３６は第２下部配管３４ｂの開閉弁４６ｄを閉じる。これにより、洗浄水の噴射は全て停止する。そして、この一連の動作により、敷鉄板１０の両面の洗浄が完了する。尚、上記の洗浄水の噴射によって敷鉄板１０から流れ落ちた汚れは、床板１８に落下し洗浄水とともに排水升に排出される。
【００２４】
次に、作業者はフォークリフト５を操作して搬入口１２から洗浄後の敷鉄板１０を取り出し保管場所等に移動させる。
【００２５】
尚、敷鉄板洗浄装置８０は上記の通常洗浄パターン運転の他に、各配管（第１上部配管３２ａ、第２上部配管３２ｂ、第１下部配管３４ａ、第２下部配管３４ｂ）毎の単独運転指示も可能である。この単独運転指示では、特定の配管（第１上部配管３２ａ、第２上部配管３２ｂ、第１下部配管３４ａ、第２下部配管３４ｂ）のみによる洗浄水の噴射を任意の時間行うことができる。これにより、強固な汚れが付着した部分の洗浄を集中的に行うことができる。
【００２６】
以上のように、本考案に係る敷鉄板洗浄装置８０は載置フレーム３０上に敷鉄板１０を載置し、この上下面に洗浄水を噴射して洗浄を行う。このため、敷鉄板１０を移動させる搬送機構が不要で装置規模を比較的小さく抑えることができる。また、敷鉄板１０が移動しないため安全性が極めて高い。さらに、搬送機構と敷鉄板１０の移動に対する安全機構が不要なため、構造の簡素化と製造コストの削減とを図ることができる。
【００２７】
また、本考案に係る敷鉄板洗浄装置８０は洗浄水を噴射する配管を第１上部配管３２ａ、第２上部配管３２ｂ、第１下部配管３４ａ、第２下部配管３４ｂに分け、順次洗浄水の噴射を行う。このため、洗浄水を全面に噴射するものよりも洗浄水を高圧で噴射することができる。また、噴射口４２、４４は垂直方向から若干奥側に向いて設置されるため、洗浄水は敷鉄板洗浄装置８０の奥側に向けて噴射する。これにより、敷鉄板１０上の汚れを効率的に押し流すことができるとともに、搬入口１２からの洗浄水の飛散を極力抑えることができる。また、洗浄水の噴射を上面手前側、上面奥側、下面手前側、下面奥側の順で行うため、洗浄水で吹き飛ばされた汚れが敷鉄板１０上に残留しにくく、敷鉄板１０の両面を迅速かつ効率良く洗浄することができる。
【００２８】
尚、上記に示した敷鉄板洗浄装置８０は一例であるから、敷鉄板洗浄装置８０の各部の形状、配管経路、機構等はこれに限定されるわけでは無く、本考案は本考案の要旨を逸脱しない範囲で変更して実施することが可能である。
【符号の説明】
【００２９】
１０    敷鉄板
３０    載置フレーム
３２    上部配管
３２ａ  第１上部配管
３２ｂ  第２上部配管
３４    下部配管
３４ａ  第１下部配管
３４ｂ  第２下部配管
３６    制御部
３８    ポンプ部
４２、４４  噴射口
８０    敷鉄板洗浄装置
【図１】
0003181558.tif 000003
【図２】
0003181558.tif 000004